(57)【要約】【要  約】【課  題】  工期を短縮し、鉄骨工事を効率化する。【解決手段】  口の字形の水平枠11と、これに直角な縦枠12と、縦枠12の各辺の各１か所に取り付けられた柱吊り上げ用Ｌ形片と、同じく縦枠12の各辺の各１か所に下向きに、かつ外側に向けて取り付けられた枠固定用Ｌ形片と、水平枠11の1対の辺の各2か所に取り付けられた高さ方向調整ねじ21と、縦枠12各辺の各２か所に水平向きに取り付けられた水平方向調整ねじ22により位置決め用枠体を構成する。【選択図】    図１
2005090116.tif 000002
【特許請求の範囲】
【請求項１】
場所打ちコンクリート基礎杭の上方に鉄骨柱を立設する鉄骨柱の立設方法であって、掘削された杭用孔の両脇の地盤上に支持台を載置し、鉄骨柱を囲む四辺形状の枠体をこの支持台上に水平に固定し、前記枠体の各辺に鉄骨柱に向けて水平方向に取り付けた水平方向調整ねじを出し入れすることにより鉄骨柱の位置を定め、前記枠体の各辺に取り付けた柱吊り上げ用Ｌ形片に挿入したアイボルトから吊り上げ用ワイヤを介して前記鉄骨柱を吊り上げ、前記アイボルトを調整することにより鉄骨柱の高さならびに倒れを調整し、前記の孔の内部に打設するコンクリート内に鉄骨柱の柱脚部分を埋没させ、杭基礎に一体化して固定することを特徴とする鉄骨柱の立設方法。
【請求項２】
細長い板を口の字形に組み合わせた水平枠（11）と、この水平枠（11）の各辺の内側に接してこれと直角に立ち上がる縦枠（12）と、この縦枠（12）の各辺の少なくとも各１か所に上向きに、かつ内側に向けて取り付けられた柱吊り上げ用Ｌ形片（13）と、同じく縦枠（12）の各辺の少なくとも各１か所に下向きに、かつ外側に向けて取り付けられた枠固定用Ｌ形片（14）と、前記水平枠（11）の少なくとも対向する１対の辺の少なくとも各２か所に縦向きに取り付けられた高さ方向調整ねじ（21）と、前記縦枠（12）の各辺の少なくとも各２か所に水平向きに取り付けられた水平方向調整ねじ（22）とからなる鉄骨柱の立設に使用する位置決め用枠体。
【発明の詳細な説明】
【技術分野】
【０００１】
本発明は、Ｓ造（鉄骨構造）、ＳＲＣ造（鉄骨鉄筋コンクリート構造）などの建築物の施工において、場所打ちコンクリート基礎杭の上方に鉄骨柱を立設する方法、およびこれに使用する位置決め用枠体に関する。
【背景技術】
【０００２】
Ｓ造（鉄骨構造）、ＳＲＣ造（鉄骨鉄筋コンクリート構造）などの建築物の施工においては、まず地盤に孔を掘り、この中に鉄筋かごを吊り下ろし、コンクリートを打設する場所打ち基礎杭工法がよく行われる。そしてこの杭の上方に鉄骨柱を立設するのであるが、ことが行われる。杭造成後のコンクリートの基礎上に鉄骨柱を位置決めする従来のやり方の一例を図面により説明する。
【０００３】
図６は従来の技術における鉄骨柱の位置決め方法を説明する柱脚部分の部分正面図で、Ｐは鉄骨柱、Ａはアンカーボルト、Ｌはレベリングブロック、Ｓはコンクリート基礎である。コンクリート基礎Ｓの鉄骨柱Ｐを立設する位置にはフーチングが形成され、柱脚部分のボルト孔に合わせてアンカーボルトＡが埋め込まれている。アンカーボルトＡの内側に、建設現場で「まんじゅう」と呼ばれるレベリングブロックＬが設置される。レベリングブロックＬは団子状のコンクリート塊であるが、その頂部を計測して、柱脚が載置される高さに調整してある。コンクリート塊に代えて、厚みを計測した鋼板を積み重ねたものや、勾配を設けた２枚の厚鋼板を組み合わせたものを使用する場合もある。
【０００４】
レベリングブロックＬの上に柱脚を吊り下ろし、水平方向の位置決めをした後アンカーボルトＡにナットをかけて締めつけ、レベリングブロックＬを埋め込むようにアンカーボルトＡの周囲をモルタルまたはコンクリートでグラウトして養生すれば鉄骨柱の立て方が完了する。
【０００５】
なお、水平方向の位置決めは、鉄骨柱に罫書いた中心線をトランシットで計測したり、柱芯に平行に張った水糸と柱表面との距離を測定したりしながら、柱脚部分に対して移動させたい方向にハンマで打撃したりジャッキで押したりして行う。また、水平方向の位置決めの際の調整代がかなり大きいと予想される場合に、アンカーボルトＡをコンクリート基礎Ｓ内に埋め込まず、コンクリート基礎Ｓにボックス状の孔を設けてこの中にアンカーボルトＡを吊り下げ、柱脚のグラウトと同時にこの孔の中にもモルタルを流し込んで固定することもある。
【発明の開示】
【発明が解決しようとする課題】
【０００６】
ところで、このような従来のやり方によれば、柱の立て方はコンクリート基礎の完了後に開始しなければならないので、工期が長くかかるという問題点がある。また、高さならびに水平方向の位置決め、調整に長時間を要するという問題点もある。
【０００７】
本発明は、このような従来の工法における問題点を解消し、建設工事を効率的に行うことのできる新規な枠体を提供することを目的とする。
【課題を解決するための手段】
【０００８】
本発明の鉄骨柱の立設方法は、場所打ちコンクリート基礎杭の上方に鉄骨柱を立設する鉄骨柱の立設方法であって、掘削された杭用孔の両脇の地盤上に支台を載置し、鉄骨柱を囲む四辺形状の枠体をこの支持台上に水平に固定し、前記枠体の各辺に鉄骨柱に向けて水平方向に取り付けた水平方向調整ねじを出し入れすることにより鉄骨柱の位置を定め、前記枠体の各辺に取り付けた柱吊り上げ用Ｌ形片に挿入したアイボルトから吊り上げ用ワイヤを介して前記鉄骨柱を吊り上げ、前記アイボルトを調整することにより鉄骨柱の高さならびに倒れを調整し、前記の孔の内部に打設するコンクリート内に鉄骨柱の柱脚部分を埋没させ、杭基礎に一体化して固定することを特徴とする。
【０００９】
また、本発明の位置決め用枠体は、細長い板を口の字形に組み合わせた水平枠と、この水平枠の各辺の内側に接してこれと直角に立ち上がる縦枠と、この縦枠の各辺の少なくとも各１か所に上向きに、かつ内側に向けて取り付けられた柱吊り上げ用Ｌ形片と、同じく縦枠の各辺の少なくとも各１か所に下向きに、かつ外側に向けて取り付けられた枠固定用Ｌ形片と、前記水平枠の少なくとも対向する１対の辺の少なくとも各２か所に縦向きに取り付けられた高さ方向調整ねじと、前記縦枠の各辺の少なくとも各２か所に水平向きに取り付けられた水平方向調整ねじとからなる鉄骨柱の立設に使用する位置決め用枠体である。
【発明の効果】
【００１０】
本発明によれば、杭基礎コンクリート工事が完了しない段階から鉄骨柱の立て方に着手することができるので、建設工事の工期が短縮されるという効果があり、また、位置ならびに高さの調整作業がやりやすく、効率的に進められるというすぐれた効果を奏する。
【発明を実施するための最良の形態】
【００１１】
本発明では、立てようとする鉄骨柱の周囲に枠体をセットし、これを地盤上の支持台に固定して、枠体と鉄骨柱との間でのボルトのねじ込み作業だけで鉄骨柱の位置決めを行うとともに、場所打ち杭のコンクリート打設と同時に鉄骨柱柱脚部分の固定を行うことを特徴としている。
【実施例】
【００１２】
本発明の実施例を図面により説明する。図１は本発明の実施例における位置決め用枠体１を示す斜視図で、11は細長い板を口の字形に組み合わせた水平枠、12は水平枠11の各辺の内側に接してこれと直角に立ち上がる縦枠、13は縦枠12の各辺の少なくとも各１か所に上向きに、かつ内側に向けて取り付けられた柱吊り上げ用Ｌ形片、14は同じく縦枠12の各辺の少なくとも各１か所に下向きに、かつ外側に向けて取り付けられた枠固定用Ｌ形片、21は水平枠11の少なくとも対向する１対の辺の少なくとも各２か所に縦向きに取り付けられた高さ方向調整ねじ、22は縦枠12の各辺の少なくとも各２か所に水平向きに取り付けられた水平方向調整ねじである。
【００１３】
以下、この位置決め用枠体１の使用方法を図２ないし図５により説明する。図２は図示しない重機等を使用して鉄骨柱Ｃの柱脚部分をこの孔Ｈ内に吊り下ろし、位置決め用枠体１を使用して鉄骨柱Ｃを位置決めしようとしている状況を示す斜視図である。鉄骨柱Ｃの立設される位置の地盤Ｇに、場所打ちコンクリート基礎杭用の孔Ｈが掘削され、鉄筋、あるいは鉄筋かご（図示しない）はすでに孔Ｈの内部に吊り入れられている。
【００１４】
まず孔Ｈの両脇に１対のＨ形鋼、レールなどの重量のある支持台をセットする。支持台２の上に前記した高さ方向調整ねじ21が来るようにして位置決め用枠体１を載せ、１対の辺の２本ずつの高さ方向調整ねじ21を調整して、位置決め用枠体１を水平にする。この状態を保持するため、図３に示すように枠固定用Ｌ形片に下方から枠固定用ねじ24を挿入して締めつける。これで位置決め用枠体１が水平に保たれたので、つぎに図４に示すように４方向から対向する水平方向調整ねじ22を鉄骨柱Ｃに向けて送り出し、あるいは引き込んで鉄骨柱Ｃの位置を決める。位置決めに際しては中心線をトランシットで計測するか、水糸で距離を測るのはこれまでと同様である。
【００１５】
柱脚の位置が決まったら、最後に鉄骨柱Ｃの高さを調整する。図５に示すように、柱脚下部の各辺に吊り上げ用ピースＰを溶接などにより取り付けておき、一方、位置決め用枠体１の柱吊り上げ用Ｌ形片に柱吊り上げ用アイボルト23を取り付け、吊り上げ用ピースＰとの間に吊り上げ用ワイヤＷを張って、ナットを回して柱吊り上げ用アイボルトの高さを調整することにより鉄骨柱Ｃの高さならびに倒れを調整する。
【００１６】
以上により鉄骨柱Ｃの位置ならびに高さ、垂直度などが決まるので、孔Ｈ内にコンクリート等を充填して場所打ち杭を造成すると同時に同じコンクリート内に鉄骨柱の柱脚部分を埋没させ、杭基礎と一体化して硬化させるのである。
【００１７】
なお、位置決め用枠体１を一体のもののように図示したが必ずしもそのような必要はなく、２つ割り、あるいは４辺ばらばらの組立て式とすれば、鉄骨柱Ｃを吊り入れた後からでも枠体のセットができ、用済み後の回収も容易にできる便利さがある。
【図面の簡単な説明】
【００１８】
【図１】本発明において使用する位置決め用枠体の実施例を示す斜視図である。
【図２】本発明において位置決め用枠体を使用する状況を示す斜視図である。
【図３】本発明において位置決め用枠体を支持台に固定する状況を示す部分断面図である。
【図４】本発明において位置決め用枠体を使用して水平方向の位置調整を行う状況を示す断面図である。
【図５】本発明において位置決め用枠体を使用して高さ方向の調整を行う状況を示す断面図である。
【図６】従来の技術における鉄骨柱の位置決め方法を説明する柱脚部分の部分正面図である。
【符号の説明】
【００１９】
１    枠体
２    支持台
11    水平枠
12    縦枠
13    柱吊り上げ用Ｌ形片
14    枠固定用Ｌ形片
21    高さ方向調整ねじ
22    水平方向調整ねじ
23    柱吊り上げ用アイボルト
24    枠固定用ねじ
Ｃ    鉄骨柱
Ｇ    地盤
Ｈ    （杭用に掘削された）孔
Ｐ    吊り上げ用ピース
Ｓ    コンクリート基礎
Ｗ    吊り上げ用ワイヤ
【図１】
2005090116.tif 000003
【図２】
2005090116.tif 000004
【図３】
2005090116.tif 000005
【図４】
2005090116.tif 000006
【図５】
2005090116.tif 000007
【図６】
2005090116.tif 000008